(57)【要約】【課題】ランプを有する照明装置本体を昇降させる時のワイヤのねじれ状態の発生を防いで、照明装置本体の昇降を確実に行うことができる電動昇降装置および昇降式照明装置を提供する。【解決手段】電動昇降装置２は、天井に固定されるハウジング３からランプ２６を有する照明装置本体５を吊り下げる複数のワイヤ４と、ワイヤ４を繰り出しあるいは巻き上げてハウジング３から照明装置本体５を下降させあるいはハウジング３へ照明装置本体５を上昇させる照明装置本体昇降部３０と、照明装置本体５の昇降を案内する線状のガイド用部材６とを備える。【選択図】図１
2010118219.tif 000002
【特許請求の範囲】
【請求項１】
天井に固定されるハウジングからランプを有する照明装置本体を吊り下げる複数のワイヤと、
前記ワイヤを繰り出しあるいは巻き上げて前記ハウジングから前記照明装置本体を下降させあるいは前記ハウジングへ前記照明装置本体を上昇させる照明装置本体昇降部と、
前記照明装置本体の昇降を案内する線状のガイド用部材と、
を備えることを特徴とする電動昇降装置。
【請求項２】
さらに前記ガイド用部材を繰り出して下降させあるいは巻き上げて上昇させるガイド用部材昇降部を有しており、
前記照明装置本体昇降部は、第１電動モータと、前記第１電動モータの動作により回転されて前記ワイヤを繰り出しあるいは巻き上げる第１ドラムと、を有し、
前記ガイド用部材昇降部は、第２電動モータと、前記第２電動モータの動作により回転されて前記ガイド用部材を繰り出しあるいは巻き上げる第２ドラムと、を有することを特徴とする請求項１に記載の電動昇降装置。
【請求項３】
さらに前記ガイド用部材を繰り出して下降させあるいは巻き上げるガイド用部材昇降部を有しており、
前記照明装置本体昇降部は、前記ワイヤを繰り出しあるいは巻き上げる第１ドラムを有し、前記ガイド用部材昇降部は、前記ガイド用部材を繰り出しあるいは巻き上げる第２ドラムを有し、
前記第１ドラムと第２ドラムとを選択的に切り替えて回転させる駆動力切替部を有することを特徴とする請求項１に記載の電動昇降装置。
【請求項４】
前記ガイド用部材の下端部には、おもりが取り付けられていることを特徴とする請求項１〜請求項３のいずれか１つの項に記載の電動昇降装置。
【請求項５】
天井に固定されるハウジングと、
ランプを有する照明装置本体と、
前記ハウジングから前記照明装置本体を吊り下げる複数のワイヤと、前記ワイヤを繰り出しあるいは巻き上げて前記ハウジングから前記照明装置本体を下降させあるいは前記ハウジングへ前記照明装置本体を上昇させる照明装置本体昇降部と、を有する昇降式照明装置であって、
前記照明装置本体の昇降を案内する線状のガイド用部材と、
前記ガイド用部材を繰り出して下降させあるいは巻き上げるガイド用部材昇降部と、
を備えることを特徴とする昇降式照明装置。
【発明の詳細な説明】
【技術分野】
【０００１】
本発明は、ランプを有する照明装置本体を昇降するための電動昇降装置および昇降式照明装置に関し、特に体育館の天井等の高所に位置する照明装置本体を高所と床上の間で昇降させる電動昇降装置および昇降式照明装置に関する。
【背景技術】
【０００２】
各種の店舗やオフィスあるいは多目的ホール等では、より良好な照明効果を発揮させるために、例えば吹き抜けのある高い天井に照明装置を設置して、高所からランプにより照明をしている。高所に設置される照明装置としては、照明装置本体のランプを交換する作業や照明装置のメンテナンス作業を容易に行うようにするために、昇降式照明装置が用いられる。この昇降式照明装置では、ランプを有する照明装置本体が天井から床面まで下降され、ランプを交換後には再び照明装置本体が天井側に上昇されるようになっている。
【０００３】
例えば体育館等の天井部分に位置されている昇降式照明装置は、図９（Ａ）に示している。昇降式照明装置は、天井部分に固定された電動昇降装置１００と、ハウジング１０１と、ランプ１０２を有する照明装置本体１０３を有している。ハウジング１０１は天井に固定されており、ランプ１０２を有する照明装置本体１０３は２本のワイヤ１０４を用いてハウジング１０１から吊り下げられている。
【０００４】
ランプ１０２を交換する際には、ドラム１０５を回転してドラム１０５から２本のワイヤ１０４を繰り出して下降させることにより、ランプ１０２を有する照明装置本体１０３を床上まで降ろす。これにより、ランプ１０２の交換が容易に行える。そして、ランプ１０２の交換作業が終了すると、再びドラム１０５を回して２本のワイヤ１０４をドラム１０５に巻き上げることで、照明装置本体１０３は上昇されてハウジング１０１側へ戻すようになっている（例えば、特許文献１を参照）。
【特許文献１】特開２００６−２６９１４４号公報
【発明の開示】
【発明が解決しようとする課題】
【０００５】
しかし、上記特許文献１に開示された技術では、図９（Ｂ）に示すように、照明装置本体１０３を天井にあるハウジング１０１から下降させ、逆に照明装置本体１０３を天井にあるハウジング１０１に戻すときに、２本のワイヤ１０４で吊り下げられている照明装置本体１０３の姿勢が不安定であるので照明装置本体１０３が回転してしまって、２本のワイヤ１０４同士がねじれてねじれ部分１０６が生じる場合がある。このように２本のワイヤ１０４がねじれた状態になってしまうと、照明装置本体１０３の昇降作業に支障が生じるおそれがある。
【０００６】
本発明は上記課題を解決するためになされたものであり、本発明の目的は、ランプを有する照明装置本体を昇降させる時のワイヤのねじれ状態の発生を防いで、照明装置本体の昇降を確実に行うことができる電動昇降装置および昇降式照明装置を提供することである。
【課題を解決するための手段】
【０００７】
本発明の電動昇降装置は、天井に固定されるハウジングからランプを有する照明装置本体を吊り下げる複数のワイヤと、前記ワイヤを繰り出しあるいは巻き上げて前記ハウジングから前記照明装置本体を下降させあるいは前記ハウジングへ前記照明装置本体を上昇させる照明装置本体昇降部と、前記照明装置本体の昇降を案内する線状のガイド用部材と、
を備えることを特徴とする。
【０００８】
また、本発明の昇降式照明装置は、天井に固定されるハウジングと、ランプを有する照明装置本体と、前記ハウジングから前記照明装置本体を吊り下げる複数のワイヤと、前記ワイヤを繰り出しあるいは巻き上げて前記ハウジングから前記照明装置本体を下降させあるいは前記ハウジングへ前記照明装置本体を上昇させる照明装置本体昇降部と、を有する昇降式照明装置であって、前記照明装置本体の昇降を案内する線状のガイド用部材と、前記ガイド用部材を繰り出して下降させあるいは巻き上げるガイド用部材昇降部と、を備えることを特徴とする。
【発明の効果】
【０００９】
本発明によれば、ランプを有する照明装置本体を昇降させる時のワイヤのねじれ状態の発生を防いで、照明装置本体の昇降を確実に行うことができる電動昇降装置および昇降式照明装置を提供することができる。
【発明を実施するための最良の形態】
【００１０】
以下、本発明の実施の形態について図面を参照して詳細に説明する。
【００１１】
（第１実施形態）
図１は、本発明の昇降式照明装置の好ましい第１実施形態を示す斜視図である。
【００１２】
図１に示す昇降式照明装置１は、電動昇降装置２と、ハウジング３と、照明装置本体５を有している。
【００１３】
図１に示す昇降式照明装置１は、例えば各種の店舗やオフィスあるいは多目的ホール等の建物の高い天井に対して設置され、電動昇降装置２は照明装置本体５を高所から床上の間で電動により昇降を行う。
【００１４】
この電動昇降装置２は、複数のワイヤ４と、１本のガイド用ワイヤ６と、ケース７と、中間支持部１０と、照明装置本体昇降部３０と、ガイド用部材昇降部３１を備えている。
【００１５】
図２は、図１に示す電動昇降装置２の構造例を示している。
【００１６】
図２に示すように、電動昇降装置２のケース７内には、中間支持部１０と、照明装置本体昇降部３０と、ガイド用部材昇降部３１が配置されている。照明装置本体昇降部３０は、第１ドラム１１と、第１電動モータ８を有している。ガイド用部材昇降部３１は、第２ドラム１２と、第２電動モータ９を有している。中間支持部１０は第１ドラム１１と第２ドラム１２の間に配置されている。
【００１７】
図２に示すように、第１電動モータ８の出力軸１３には、第１ドラム１１の一端部側が固定されている。第１ドラム１１の他端部側の軸部１４は、中間支持部１０の軸受け１５により回転可能に支持されている。これにより、第１ドラム１１は、第１電動モータ８を作動することにより、正回転と逆回転ができる。
【００１８】
同様にして、第２電動モータ９の出力軸１６には、第２ドラム１２の一端部側が固定されている。第２ドラム１２の他端部側の軸部１７は、中間支持部１０の軸受け１８により回転可能に支持されている。これにより、第２ドラム１２は、第２電動モータ９を作動することにより、正回転と逆回転ができる。図１に示すように、第１電動モータ８と第２電動モータ９の動作は、制御部２０により制御される。
【００１９】
図１と図２に示すように、第１ドラム１１は、２本のワイヤ４を同時に巻き上げ、あるいは同時に繰り出すための回転ドラムであり、両側にフランジ部１１Ｂを有する。２本のワイヤ４は、ハウジング３を通じて照明装置本体５を吊り下げるための長い線状の部材である。２本のワイヤ４は、ケース７の開口部７Ｂを通ってケース７の外に導かれている。
【００２０】
第２ドラム１２は、１本のガイド用ワイヤ６を巻き上げ、あるいは繰り出すための回転ドラムであり、両側にフランジ部１２Ｂを有する。１本のガイド用ワイヤ６は、照明装置本体５の昇降動作をガイドする長い線状のガイド用部材の一例である。１本のガイド用ワイヤ６は、ケース７の開口部７Ｃを通ってケース７の外に導かれている。２本のワイヤ４とガイド用ワイヤ６は例えば金属製ワイヤを用いることができる。
【００２１】
次に、図１に示すハウジング３の構造例を説明する。
【００２２】
図１に示すハウジング３は、例えば円筒状の金属部材であり、建物の天井側に固定されている。ハウジング３は、照明装置本体５のランプソケット部２４を天井付近の位置で保持する。ハウジング３は、２つのガイド穴２２を有している。２つのガイド穴２２は、第１ドラム１１からの２本のワイヤ４をＺ１方向（下方）に案内して通す。
【００２３】
図１に示すように、ハウジング３の側部には、ガイド用ワイヤ案内部２１が設けられている。このガイド用ワイヤ案内部２１は、ガイド用ワイヤ６を昇降させる際にガイド用ワイヤ６が水平方向に振れないようにスムーズに案内することができる。このガイド用ワイヤ案内部２１は例えばリング状の部材であり、ガイド用ワイヤ６を通すガイド穴２３を有している。
【００２４】
次に、図１に示す照明装置本体５の構造例を説明する。
【００２５】
図１に示すように、照明装置本体５は、円柱状のランプソケット部２４と、笠型の光の反射体２５と、ランプ２６を有する。ランプ２６は、例えば放電灯でありランプソケット部２４に対して着脱可能に装着されている。
【００２６】
反射体２５は、ガイド用ワイヤ６を通すガイド穴２７を有している。このガイド穴２７はガイド用ワイヤ案内部２１のガイド穴２３の下側の位置にある。これにより、ガイド用ワイヤ６は、照明装置本体５をＺ方向に沿って昇降する際に、照明装置本体５をガイドすることができ、照明装置本体５が回転するのを防ぐことができる。
【００２７】
図１に示すように、２本のワイヤ４の下端部は、それぞれ照明装置本体５のランプソケット部２４に対して固定されている。ガイド用ワイヤ６の下端部２８には、おもり２９が取り付けられている。このおもり２９がガイド用ワイヤ６の下端部２８に取り付けられていることにより、ガイド用ワイヤ６は、第２ドラム１２からＺ１方向（下方）に正確にスムーズに下降させることができる。
【００２８】
２本のワイヤ４は、第１電動モータ８を作動して第１ドラム１１を回転することで、第１ドラム１１に繰り出しあるいは巻き上げることができる。このため、照明装置本体５のＺ１方向への下降と照明装置本体５のＺ２方向への上昇と、そして床上高さでの照明装置本体５の位置決めを行うことができる。
【００２９】
また、ガイド用ワイヤ６は、第２電動モータ９を作動して第２ドラム１２を回転することで、第２ドラム１２に繰り出しあるいは巻き上げることができる。このため、ガイド用ワイヤ６は、Ｚ１方向への下降とＺ２方向への上昇と、そして床上高さでのおもり２９の位置決めを行うことができる。
【００３０】
次に、図１と、図３〜図６を参照して、上述した昇降式照明装置１の照明装置本体５をハウジング３側から床上まで降ろしてランプ２６を交換する際の動作例を説明する。
【００３１】
図１では、照明装置本体５は天井のハウジング３に保持されているので、照明装置本体５は天井側の最も高い位置に位置決めされている。この場合には、第１ドラム１１は２本のワイヤ４を巻き上げた状態である。第２ドラム１２はガイド用ワイヤ６を巻き上げておりガイド用ワイヤ６は繰り下げられておらず、おもり２９は反射体２５の直ぐ下の位置に位置決めされている。
【００３２】
次に、図３では、照明装置本体５がハウジング３の下部に位置決めされている。しかし、第２モータ９が作動して第２ドラム１２を回転することで、ガイド用ワイヤ６だけが第２ドラム１２から繰り出されることにより、ガイド用ワイヤ６はガイド穴２３とガイド穴２７を通って床上の高さ位置までＺ１方向に下がる。このガイド用ワイヤ６はおもり２９があることにより、Ｚ１方向に沿って真っ直ぐ垂れ下がっている。
【００３３】
図４では、第１モータ８が作動して第１ドラム１１から２本のワイヤ４が繰り出されることにより、照明装置本体５がハウジング３の下部からＺ１方向に沿って床上の高さ位置まで下降される。この照明装置本体５の下降の際には、照明装置本体５はガイド用ワイヤ６に沿ってガイドされることになる。しかも、ガイド用ワイヤ６はおもり２９により垂直下方向に力が加わっている。これにより、照明装置本体５は、Ｚ１方向に真っ直ぐ下げて床上まで降ろすことができ、照明装置本体５は２本のワイヤ４で吊り下げられているにもかかわらず、ガイド用ワイヤ６は照明装置本体５が下降される際に回転するのを防止できる。
【００３４】
ここで、照明装置本体５のランプ２６が新しいランプ２６に交換される。このように、２本のワイヤ４とは別に１本のガイド用ワイヤ６を用いており、照明装置本体５を下降させる前に、ガイド用ワイヤ６を下降させることにより、ガイド用ワイヤ６は照明装置本体５が回転するのを確実に防止できる。従って、２本のワイヤ４がよじれる現象がなくなり、２本のワイヤ４の寿命を延ばすことができる。
【００３５】
次に、図５では、ランプ２６の交換後に、第１電動モータ８が作動されて２本のワイヤ４が第１ドラム１１により巻き上げられることにより、照明装置本体５がハウジング３の下部までＺ２方向に引き上げられてハウジング３に対して位置決めして固定される。このように、２本のワイヤ４が第１ドラム１１により巻き上げられて照明装置本体５がハウジング３の下部までＺ２方向に引き上げられる際には、照明装置本体５はガイド用ワイヤ６によりガイドされる。しかも、ガイド用ワイヤ６はおもり２９により垂直下方向に力が加わっている。このため、照明装置本体５は２本のワイヤ４で吊り下げられているにもかかわらず、ガイド用ワイヤ６は照明装置本体５が引き上げられる際に回転するのを防止することができる。
【００３６】
その後、図６では、第２電動モータ９を作動することで第２ドラム１２がガイド用ワイヤ６を巻き上げるので、ガイド用ワイヤ６は任意の高さ位置までＺ２方向に引き上げられ、おもり２９は照明装置本体５の反射体２５の下部に収納される。
【００３７】
このように、照明装置本体２５を床上まで降ろしてランプ２６を交換後に、再び照明装置本体２５をハウジング３まで上昇させる際にはガイド用ワイヤ６は下げた状態にして、照明装置本体５をハウジング３に戻した後にガイド用ワイヤ６を巻き取って収納する。
【００３８】
照明装置本体５を昇降する際には、照明装置本体５の姿勢がガイド用ワイヤ６により規制されることから照明装置本体５は回転を起こさないので、２本のワイヤ４のねじれ現象を防ぎ２本のワイヤ４の寿命を延ばすことができる。昇降式照明装置１は、ランプ２６を有する照明装置本体５を昇降させる時の複数のワイヤ４のねじれ現象を防いで、照明装置本体５の昇降作業を確実に行うことができる。
【００３９】
（第２実施形態）
図７と図８は、本発明の昇降式照明装置の好ましい第２実施形態を示している。図７は、昇降式照明装置を示す斜視図であり、図８は、図７に示す電動昇降装置の好ましい構造例を示している。
【００４０】
図７に示すように、昇降式照明装置４１は、電動昇降装置４２と、ハウジング４３と、照明装置本体４５を有している。
【００４１】
図７に示す昇降式照明装置４１は、例えば各種の店舗やオフィスあるいは多目的ホール等の建物の高い天井に対して設置され、電動昇降装置４２は照明装置本体４５を高所から床上の間で電動により昇降を行う。
【００４２】
図８に示すように、この電動昇降装置４２は、複数のワイヤ４４と、１本のガイド用ワイヤ４６と、ケース４７と、照明装置本体昇降部８０と、ガイド用部材昇降部８１を備えている。照明装置本体昇降部８０は、第１ドラム５１と、軸受け６５と、ピニオン６７を有している。ガイド用部材昇降部８１は、第２ドラム５２と、軸受け６６と、ピニオン６８を有している。軸受け６５，６６はケース４７に固定されている。
【００４３】
図８に示す駆動力切替部７０は、１つの電動モータ６０の動力を第１ドラム５１と第２ドラム５２に対して選択的に切り替えて第１ドラム５１あるいは第２ドラム５２を回転駆動させる。駆動力切替部７０は、アクチュエータ６４とスライド部材５３を有している。アクチュエータ６４はケース４７に固定されている。１つの電動モータ６０とアクチュエータ６４の動作は、制御部２０Ｃにより制御される。
【００４４】
図８に示すように、電動モータ６０の出力軸６１は軸受け６２に回転可能に支持されており、軸受け６２と電動モータ６０はスライド部材６３に固定されている。電動モータ６０の出力軸６１にはピニオン５５が固定されている。スライド部材６３は、アクチュエータ６４のロッド６４Ｒに固定されており、スライド部材６３は、アクチュエータ６４のロッド６４Ｒの伸縮により、ケース４２においてＸ方向に沿って往復スライド可能である。
【００４５】
第１ドラム５１の軸部５１Ｂは、軸受け６５により回転可能に支持されており、第２ドラム５２の軸部５２Ｂは、軸受け６６により回転可能に支持されている。第１ドラム５１の軸部５１Ｂにはピニオン６７が固定され、第２ドラム５２の軸部５２Ｂにはピニオン６８が固定されている。
【００４６】
アクチュエータ６４のロッド６４Ｒが収縮されるとピニオン５５とピニオン６８がかみ合う。これにより、第２ドラム５２は、１本のガイド用ワイヤ４６を繰り出しあるいは巻き上げることができる。アクチュエータ６４のロッド６４Ｒが伸長されるとピニオン５５とピニオン６７がかみ合う。これにより、第１ドラム５１は２本のワイヤ４を繰り出しあるいは巻き上げることができる。
【００４７】
このように、１つの電動モータ６０を用いるだけで、第１ドラム５１と２本のワイヤ４４による照明装置本体４５の昇降動作と、第２ドラム５２と１本のガイド用ワイヤ４６による１本のガイド用ワイヤ６の繰り出しと巻き上げ動作を選択して行うことができる。なお、駆動力切替部は、図示例のものに限らず、各種の構造のものを採用できる。
【００４８】
本発明の電動昇降装置は、天井に固定されるハウジングからランプを有する照明装置本体を吊り下げる複数のワイヤと、ワイヤを繰り出しあるいは巻き上げてハウジングから照明装置本体を下降させあるいはハウジングへ照明装置本体を上昇させる照明装置本体昇降部と、照明装置本体の昇降を案内する線状のガイド用部材と、を備える。
【００４９】
これにより、ガイド用部材を用いない場合に比べて、照明装置本体を昇降させる時のワイヤのねじれ状態の発生を防いで、照明装置本体の昇降を確実に行うことができる。また、ワイヤのねじれ状態の発生を防ぐことができるので、ワイヤの寿命を延ばすことができる。
【００５０】
また、電動昇降装置は、さらにガイド用部材を繰り出して下降させあるいは巻き上げて上昇させるガイド用部材昇降部を有しており、照明装置本体昇降部は、第１電動モータと、第１電動モータの動作により回転されてワイヤを繰り出しあるいは巻き上げる第１ドラムと、を有し、ガイド用部材昇降部は、第２電動モータと、第２電動モータの動作により回転されてガイド用部材を繰り出しあるいは巻き上げる第２ドラムと、を有する。これにより、ワイヤを第１ドラムにより繰り出したり巻き上げることで照明装置本体は容易に昇降でき、ガイド用部材を第２ドラムにより繰り出したり巻き上げことでガイド用部材は容易に昇降することができる。
【００５１】
さらに、電動昇降装置は、さらにガイド用部材を繰り出して下降させあるいは巻き上げるガイド用部材昇降部を有しており、照明装置本体昇降部は、ワイヤを繰り出しあるいは巻き上げる第１ドラムを有し、ガイド用部材昇降部は、ガイド用部材を繰り出しあるいは巻き上げる第２ドラムを有し、第１ドラムと第２ドラムとを選択的に切り替えて回転駆動させる駆動力切替部とを有する。これにより、照明装置本体の昇降とガイド用部材の昇降は１つの電動モータを用いるだけで選択的に行うことができる。
【００５２】
また、電動昇降装置は、ガイド用部材の下端部には、おもりが取り付けられている。これにより、ガイド用ワイヤは、第２ドラムからＺ１方向（下降方向）に正確に容易に下降させることができ、照明装置本体が昇降する際に昇降装置本体の回転をより確実に防止できる。
【００５３】
また、昇降式照明装置は、天井に固定されるハウジングと、ランプを有する照明装置本体と、ハウジングから照明装置本体を吊り下げる複数のワイヤと、ワイヤを繰り出しあるいは巻き上げてハウジングから照明装置本体を下降させあるいはハウジングへ照明装置本体を上昇させる照明装置本体昇降部と、を有する昇降式照明装置であって、照明装置本体の昇降を案内する線状のガイド用部材と、ガイド用部材を繰り出して下降させあるいは巻き上げるガイド用部材昇降部と、を備える。
【００５４】
これにより、照明装置本体を昇降させる時のワイヤのねじれ状態の発生を防いで、照明装置本体の昇降を確実に行うことができる。また、ワイヤのねじれ状態の発生を防ぐことができるので、ワイヤの寿命を延ばすことができる。ガイド用部材は、ガイド用部材昇降部により昇降させることにより、ガイド用部材が不要である場合には収容しておくことができる。
【００５５】
なお、本発明は、上記実施の形態そのままに限定されるものではなく、実施段階ではその要旨を逸脱しない範囲で構成要素を変形して具体化できる。図示の実施形態では、２本の吊り下げ用のワイヤ４を用いているが、３本以上吊り下げ用のワイヤを用いて照明装置本体を吊り下げるようにしても良い。ワイヤ４とガイド用ワイヤ６は、断面が円形状のワイヤに限らず断面が矩形等のワイヤであっても良い。
【００５６】
また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【図面の簡単な説明】
【００５７】
【図１】本発明の昇降式照明装置の好ましい第１実施形態を示す斜視図である。
【図２】図１に示す電動昇降装置の構造例を示す図である。
【図３】ガイド用ワイヤを床上の高さ位置までＺ１方向に下げた状態を示す斜視図である。
【図４】照明装置本体がハウジングの下部からＺ１方向に沿って床上の高さ位置まで下降された状態を示す斜視図である。
【図５】ランプ交換後に、照明装置本体がハウジングまでＺ２方向に引き上げられた状態を示す斜視図である。
【図６】ガイド用ワイヤがＺ２方向に引き上げられて、おもりが照明装置本体の反射体の下部に位置された状態を示す斜視図である。
【図７】本発明の昇降式照明装置の好ましい第２実施形態を示す斜視図である。
【図８】図７の昇降式照明装置の電動昇降装置の構造例を示す平面図である。
【図９】従来例を示す斜視図である。
【符号の説明】
【００５８】
１…昇降式照明装置、２…電動昇降装置、３…、４…吊り下げ用のワイヤ、５…照明装置本体、６…ガイド用ワイヤ（線状のガイド用部材の一例）、７…ケース、８…第１電動モータ、９…第２電動モータ、１０…中間支持部、１１…第１ドラム、１２…第２ドラム、２６…ランプ、２９…おもり、３０…照明装置本体昇降部、３１…ガイド用部材昇降部、７０…駆動力切替部。
【図１】
2010118219.tif 000003
【図２】
2010118219.tif 000004
【図３】
2010118219.tif 000005
【図４】
2010118219.tif 000006
【図５】
2010118219.tif 000007
【図６】
2010118219.tif 000008
【図７】
2010118219.tif 000009
【図８】
2010118219.tif 000010
【図９】
2010118219.tif 000011